(57)【要約】少なくとも１つの浮揚体、プロジェクタ及び投影面を備える、浮遊及び飛行可能なイメージ投影装置が開示されている。この浮揚体の形状及び体積を、発生する浮力によりプロジェクタ及び投影面の位置を安定させることができように設定する。上記プロジェクタ及び投影面は、投影範囲に対応する間隔で相互に離間して配置されており、  上記プロジェクタは、上記浮揚体の第１外表面の基本的に外側に配置され、  上記投影面は、上記第１外表面の向かい側に配置され使用時には基本的に平面状をした浮揚体の第２外表面と基本的に一致しており、  さらに、上記浮揚体は、上記プロジェクタと上記投影面との間に配置された浮力のない部分を有し、  上記の浮力のない部分は、上記プロジェクタと上記投影面との間の上記スペースを伝播するビームのパスに著しく影響を与えることがない。  別の実施の形態では、投影面は、上記浮揚体内に、分離した部材として固定されることを特徴とする。
2005538427.tif 000002
【特許請求の範囲】
【請求項１】
少なくとも１つの浮揚体（１）、プロジェクタ（２）及び投影面（３）を備える、浮遊及び飛行可能なイメージ投影装置であって、
発生する浮力により上記プロジェクタ（２）及び投影面（３）の位置を安定させることができるように、上記浮揚体（１）の形状及び体積が設定され、
上記プロジェクタ（２）及び投影面（３）は、投影範囲に対応する間隔で相互に離間して配置されており、
上記プロジェクタ（２）は、上記浮揚体（１）の第１外表面（４）の基本的に外側に配置され、
上記投影面（３）は、浮揚体（１）の第２外表面（５）と基本的に一致しており、上記第２外表面（５）は、上記第１外表面（４）の向かい側に配置され、使用時には基本的に平面状をしており、
さらに、上記浮揚体（１）は、上記プロジェクタ（２）と上記投影面（３）との間に配置された浮力のない部分（６）を有し、
上記の浮力のない部分（６）は、上記プロジェクタ（２）と上記投影面（３）との間の上記スペース（８）を伝播するビームのパス（７）に著しく影響を与えることがないことを特徴とするイメージ投影装置。
【請求項２】
上記のプロジェクタ（２）と投影面（３）との間のスペース（８）に配置された、浮力のない部分（６）の形状が、逆ピラミッド状に形成され、特にコーンの形状と対応することを特徴とする請求項１記載のイメージ投影装置。
【請求項３】
上記浮揚体（１）が単一の部材から成り、上記浮揚体（１）が基本的に立方体形状を有するように形成されていることを特徴とする請求項２記載のイメージ投影装置。
【請求項４】
上記浮揚体（１）が基本的に同一の２つの部材（１１、１２）からなり、
安定な配向を維持するという意味において不均衡な重量配分が相殺されるように、上記部材（１１、１２）が浮力の軸（９）に沿って上下に配置されていることを特徴とする請求項１記載のイメージ投影装置。
【請求項５】
上記部材（１１、１２）のそれぞれが、基本的にＶ字型の形状を有することを特徴とする請求項４記載のイメージ投影装置。
【請求項６】
特にＶ字型の２つの部材（１１、１２）が、結果として得られるアッセンブリの外表面の形状が基本的に立方体の形状となるように、一体に接続されることを特徴とする請求項４又は５記載のイメージ投影装置。
【請求項７】
上記浮揚体（１）が複数のチャンバにより組み立てられ、該チャンバは、必要であれば互いに密閉され、さらに様々な大きさを有し、それにより所望の最終外形が得られることを特徴とする請求項１〜６のいずれかに記載のイメージ投影装置。
【請求項８】
少なくとも１つの浮揚体（１）、プロジェクタ（２）及び投影面（３）を備える、浮遊及び飛行可能なイメージ投影装置であって、
発生する浮力により、上記プロジェクタ（２）及び投影面（３）の位置を安定させることができるように、上記浮揚体（１）の体積が設定され、
上記プロジェクタ（２）及び投影面（３）は、投影範囲に対応する間隔で相互に離間して配置されており、
上記プロジェクタ（２）は、上記浮揚体（１）の第１外表面（４）の基本的に外側に配置され、
上記投影面（３）は、浮揚体（１）の第２外表面（５）の近隣に配置され、上記第２外表面（５）は、使用時において基本的に平面状をしており、さらに上記浮揚体（１）の第１外表面（４）の基本的に向かい側に配置されており、
上記投影面（３）は、分離した部材として、上記浮揚体（１）に固定されていることを特徴とするイメージ投影装置。
【請求項９】
上記浮揚体（１）が球形状を有し、
上記投影面（３）は、上記投影面（３）が上記球状体の中の適切な場所に固定された、球状体の部分と近い形状を有し、上記プロジェクタ（２）の向かい側の、上記ビームパス（７）内に配置されていることを特徴とする請求項８記載のイメージ投影装置。
【請求項１０】
上記浮揚体（１）が、外側から見られた時、上記投影面（３）の前面に位置する部分（５’）に亘って透明であるように作製されていることを特徴とする請求項９記載のイメージ投影装置。
【請求項１１】
上記浮揚体（１）が円柱状体（１６）の形態で構成され、上記プロジェクタ（２）が、上記円柱状体（１６）の平面（４’）の基本的に外側に配置され、
上記投影面（３）が、円柱状体（１６）の第２平面（５’）の近辺（５）であって、上記プロジェクタ（２）の向かい側の、ビームパス（７）内に、分離した部材として配置され、
上記第２平面（５’）は、第１平面と基本的に平行であることを特徴とする請求項８記載のイメージ投影装置。
【請求項１２】
上記投影面（３）が、上記浮揚体（１）の、対応する基本的に平面状の外表面（５’）に、分離した部材として組み込まれることを特徴とする請求項１１記載のイメージ投影装置。
【請求項１３】
上記浮揚体（１）が、外側から見られた時、上記投影面（３）の前面に位置する部分（５’）に亘って透明であるように作製されていることを特徴とする請求項１１又は１２記載のイメージ投影装置。
【請求項１４】
上記投影面（３）が、円柱状体（１６）の第２平面（５’）の全体、若しくはその一部に形成されることを特徴とする請求項１１又は１２記載のイメージ投影装置。
【請求項１５】
上記円柱状の浮揚体（１）が、完全な円形の円柱状体（１６）、若しくは歪んだ円形の円柱状体の形態で作製されていることを特徴とする請求項１１〜１４のいずれかに記載のイメージ投影装置。
【請求項１６】
上記投影面（３）が、上記浮揚体（１）内の適切な位置に溶接されることを特徴とする請求項１１〜１５のいずれかに記載のイメージ投影装置。
【請求項１７】
上記浮揚体（１）が、適切な位置で浮遊するように柔軟性ライン（１３）により保持されていることを特徴とする請求項１〜１６のいずれかに記載のイメージ投影装置。
【請求項１８】
制御可能な駆動装置、特にリモートコントローラにより制御可能な駆動装置が、上記浮揚体（１）に設けられていることを特徴とする請求項１〜１７のいずれかに記載のイメージ搭載装置。
【請求項１９】
上記装置が、航空機、特に小型飛行船若しくは飛行船（７１）に全体として組み込まれていることを特徴とする請求項１〜１８のいずれかに記載のイメージ投影装置。
【請求項２０】
上記航空機が、ビル内でのオペレーションを行うために設計され、リモートコントロールにより操作可能であることを特徴とする請求項１９記載のイメージ投影装置。
【発明の詳細な説明】
【発明の詳細な説明】
【０００１】
本発明は、請求項１に基づいて規定された一般的なタイプの浮遊及び飛行可能なイメージ投影装置であって、少なくとも浮揚体、プロジェクタ、及び投影面を備えるイメージ投影装置に関する。
【０００２】
このタイプの装置は、ドイツ登録実用新案ＤＥ２０１  １１  ８４６．７により知られている。この明細書では、流体で満たされたバルーンの中にプロジェクタが配置されている。このプロジェクタにより投影されるイメージは、投影面としての役割を果たすバルーンの肌部の内表面にイメージを投影することにより可視化される。その時、看者はこのイメージをバルーンの外側から視認することができる。このバルーンは、グラウンドに配置されるか、浮遊するか若しくは上昇する。
【０００３】
そのようなイメージ投影装置の場合における欠点として考えられるのは、投影装置が作製された方法のため、プロジェクタによりバルーン内部に発生した熱により、バルーンの浮揚特性が不安定化することである。これは、結果として温度が高くなるためである。他の基本的な欠点は、投影面として、バルーンの肌部曲面を使用していることである。投影面として曲面の一部を使用することは、イメージの歪みを防止するために、多少手の込んだ高価な装置が必要となることを意味する。
【０００４】
本発明が解決しようとする課題は、その作製方法に基づく上述の欠点が防止され、さらに安価で、備えられる装置からすると容易にマスターすることができるイメージ投影装置であって、看者を引きつけることができるイメージ投影装置が利用可能となるように、浮揚体、プロジェクタ及び投影面を有する浮遊及び飛行可能な既知のイメージ投影装置を構成することにある。
【０００５】
（発明の効果）
本発明に係る浮遊及び飛行可能なイメージ投影装置であって、請求項１及び８に記載された特徴的特性を有するイメージ投影装置は、上記課題を効果的な方法により解決することができる。従来技術と比較して、本発明に係る装置の重要な効果は、イメージ投影装置が、浮揚体の肌部の一部ではない基本的に平面状の投影面を使用するということ、及びこの浮揚体の基本的に外側にプロジェクタを配置することにより加熱の問題を防止することである。また、一般的に他の効果として考えられることは、浮揚体が浮揚性流体で満たされていない時装置がスペースを節約するように構成されているということである。
【０００６】
イメージ投影装置の第１の実施形態の発明、即ち、原則として、発生する浮力により、相互に離間して配置されたプロジェクタ、及び投影範囲に対応する投影面が安定な位置をとることができるように、浮揚体の形状及び体積が設定されることにより達成される発明では、プロジェクタは、浮揚体の第１外表面の基本的に外側に配置され、投影面は、浮揚体の第２表面と基本的に一致し、この第２表面は第１外表面の基本的に向かい側に配置され使用時において基本的に平面状であり、浮揚体は、プロジェクタと投影面との間に浮力の無い部分を備え、この浮力の無い部分は、スペースを横断するビームのパスに重大な影響を与えない。
【０００７】
本発明に係る第２の実施の形態の発明、即ち、原則として、発生する浮力により、相互に離間して配置されたプロジェクタ及び投影範囲に対応する投影面が安定な位置をとることができるように、浮揚体の体積が設定されることにより達成される発明では、プロジェクタが浮揚体の第１外表面の基本的に外側に配置され、投影面は使用時において基本的に平面状であり、さらに投影面は浮揚体の第２外表面の近辺に配置され、この第２外表面は浮揚体の第１外表面の基本的に向かい側に配置され、そして投影面が分離した部材として浮揚体内に固定されている。
【０００８】
他のクレームに記載された特徴部は、請求項１及び８に記載した装置を効果的に変形及び改良したものである。
【０００９】
第１発明に係る装置の好ましい第１の実施の形態では、プロジェクタと投影面との間のスペースに配置された浮揚体無しの部分の形状を特に逆ピラミッド型に形成する。このピラミッドはコーンと対応する。
【００１０】
第１発明に係る装置の別の好ましい実施の形態では、浮揚体が単一の部材からなり、好ましくは基本的に立方体形状を有する。
【００１１】
第１発明に係る装置のさらに別の好ましい実施の形態では、浮揚体は２つの基本的に同一の形状である部材からなり、そして安定な配向を維持するという意味において不均衡な重量配分が相殺されるように、これらの部材が浮力の軸に沿って上下に配置されている。
【００１２】
第１発明に係る別の好ましい実施の形態では、各部材は基本的にＶ字型の形状を有する。
【００１３】
この別の実施形態の発明に係る基本的な解決手段の特定の具体的な好ましい実施の形態をふまえた上で、他の好ましい構成と併せて、結果として得られるアッセンブリの外表面がおよそ立方体の形状を有するように適切に装置を固定することにより、２つのＶ字型部材を一体に形成している。
【００１４】
第１発明の別の好ましい実施の形態と併用して、この装置の浮揚体は複数のチャンバにより組み立てられ、このチャンバは必要であれば互いに密閉され、また所望の最終外形を得るため様々な大きさを有していてもよい。この方法により、特にエレガントで、簡単で有用な解決手段を提供することができる。この解決手段は、現れる重量配分と一致するように、浮力を適用することが好ましく有益であり、また所望の形状安定性を維持することができる。
【００１５】
第１発明の他の好ましい実施の形態では、その浮揚体は、柔軟なラインにより適切な位置に浮遊するように保持される。さらに別の好ましい実施の形態から得られる付加的な効果は、制御可能な駆動装置、特にリモートコントローラにより制御可能な駆動装置を浮揚体に設けることである。
【００１６】
本発明の具体的な好ましい実施の形態では、航空機、特に小型飛行船若しくは飛行船にイメージ投影装置を全体的に組み込む。この航空機には、ビル内でのオペレーションのために設計され、好ましくはリモート制御の下操作しやすいものを含んでいてもよい。
【００１７】
第２発明の好ましい第１の実施の形態では、浮揚体が球状をしており、投影面が、この投影面が浮揚体内に配置された、球状体の表面の部分と近い形状を有し、さらにプロジェクタの向かい側の、ビームパス内に配置されている。この好ましい実施の形態では、浮揚体は、外側から見られる時投影面の前面に位置する部分に亘って透明であるように作製されている。
【００１８】
第２発明の好ましい第２の実施の形態では、浮揚体は円柱状に形成され、プロジェクタはその円柱状体の平面の基本的に外側に配置され、そして投影面は、その円柱状体内に１つの部材として搭載され、上述の第１平面に対して基本的に平行である、円柱の第２平面の近辺であって、かつプロジェクタの向かい側のビームパス内に配置されている。
【００１９】
第２発明の第２の実施の形態の好ましい変形例では、投影面を、分離された部材として、浮揚体の関連する基本的に平面状の外表面に組み込んでいる。含まれる特定の実施の形態に依存するが、外側から見られたとき、投影面の前面に配置された部分に亘って透明であるように構成しても良い。別の解決手段では、投影面が、円柱状体の第２平面の全体若しくは一部に形成される。投影面は、浮揚体の肌部の一部であるため、透明の窓硝子若しくは透明の肌部は必要でない。
【００２０】
第２発明の第２の実施の形態の好ましい変形例では、円柱状の浮揚体が、完全な円形の円柱状若しくは歪んだ円形の円柱状に形成されている。
【００２１】
第２発明の２つのうちいずれかの実施の形態の好ましい構成では、投影面が浮揚体内の適切な場所に溶接されている。
【００２２】
第２発明の他の好ましい構成では、浮揚体は、柔軟性ラインにより適切な場所に緩く保持されている。別の有益な実施の形態から得られる付加的な効果は、制御可能な駆動装置、特にリモートコントローラにより制御可能な駆動装置を浮揚体に備えるということに起因する。
【００２３】
図面に示された発明にしたがって作製された装置の具体的な実施の形態に基づいて、本発明を以下により詳細に記載している。個々の図面は、以下のものを示している。
【００２４】
（発明を実施するための最良の形態）
第１発明の具体的な第１の実施の形態を、図１〜６に示した様々な概略図に基づいて、以下に記載している。図１は、前面から見た本発明の具体的な第１実施の形態を示した概略斜視図である。浮遊及び飛行可能なイメージ投影装置は、少なくとも１つの浮揚体１、プロジェクタ２及び投影面３を備える。本発明では、浮揚体１の形状及び体積を、浮揚体に発生する浮力が、確実にプロジェクタ２及び投影面３を安定に配置するように設定する。このプロジェクタ２及び投影面３は、投影範囲に対応する間隔で、相互に離間して配置されている。プロジェクタ２は、浮揚体１の第１外表面４の外側に基本的に配置され、投影面３は、浮揚体１の第２外表面５と基本的に一致している。第２外表面５は、第１外表面４の向かい側に配置され、そして使用時には基本的に平面状である。浮揚体１は、浮力のない部分６を有する。この浮力のない部分６は、プロジェクタ２及び投影面３の間に配置され、さらにプロジェクタ２と投影面３との間のスペース８を伝播するビームのパス７にそれ程影響を与えない。このパス７を図３の点線により示している。
【００２５】
本発明のある実施の形態では、プロジェクタ２と投影面３との間のスペース８内に配置された浮力のない部分６の形状を逆ピラミッド状に形成してもよく、特にコーンの形状と対応させてもよい。図面にはこのオプションを詳細には示していない。含まれる浮揚体１が、単一の部材により構成され、基本的に立方体状の形状を有することが好ましい。プロジェクタ２は、ピラミッドの頂点に位置し、熱発生部材が、立方体状の浮揚体１の対応する外表面４の外側に配置されている。投影面３は、ピラミッドのベース面に配置され、さらに図３に示された外表面５と一致する。
【００２６】
図１〜６に示すように、本発明に係る装置の好ましい第１の実施の形態の変形例では、浮揚体１は、基本的に同一の２つの部材１１及び１２から形成される。安定な配向を維持するという意味において不均衡な重量配分が相殺されるように、これらの２つの部材１１及び１２が浮力の軸に沿って上下に配置されている。本発明に係る装置のこの実施の形態の配置が特に有用な理由は、部材１１及び１２のそれぞれの外表面が、基本的にＶ字型であるからであり、それらの部材が一体に接続され、外表面が立方体形状を有する浮揚体１を形成する時、より大きな浮力を発生させる幅広い端部は、プロジェクタ２の近隣に配置され、より小さな浮力を発生させる狭い端部は、投影面３の近隣に配置される。部材１１及び１２を一体に接続し、結果として得られるアッセンブリの外表面の立方体形状は、部材１１及び１２の間に配置された固定装置により形成される。この固定装置は詳細には示していない。Ｖ字型の部材１１及び１２の傾いた内表面１０は、それらの部材１１及び１２が、それらの間のスペース８を伝播するビームのパス７と殆ど相互作用をしないように傾けられている。浮揚体１の側面の外表面のギャップは、適切なカバーを使用して閉じられており、光を横方向に逃がすのを防止し、これにより看者の視線が、特に看者が軸外の場所からそれを見る場合、投影面３に表された表示から逸らされない。この表面は、スペース８の横方向境界を規定し、外表面４及び５の間に配置されている。アッセンブリを安定化させ、立方体の形状を決定する固定装置をこれらの側面外表面の近辺に設けることが好ましい。
【００２７】
図１〜６に示されるように、浮揚体１は、チャンバ１４により組み立てられている。これらは、必要であれば互いに密閉されている。特に図示しているような、即ち部材１１及び１２の場合のような所望の最終外形を得るため、これらのチャンバ１４は、それぞれ異なる大きさを有する。浮揚体１が単一の部材の形態をしているか若しくは２つの部材１１及び１２から組み立てられるかにかかわらず、特に浮揚体１を膨張させた場合、浮揚体１の構成により、浮揚体１は非常に高い形状安定性を得ることができる。それらの構成及び形状に依存して、個々のチャンバ１４を、浮揚性流体、特にヘリウムにより膨張させる。浮揚性流体は、単独でも良いし若しくは混合して用いてもよい。また、個々のチャンバ１４は、バルブ（不図示）により一度に膨張させてもよい。チャンバ１４、部材１１及び１２若しくは浮揚体１の全体としての構成、及び浮揚体から得ることができる浮力を、重量、特にプロジェクタ２及び投影面３の重量により反対に作用する力の方向及び大きさと適合させ、それにより浮遊及び飛行可能なイメージ投影装置の全体の位置決めを、バランスがとれ所望のように安定した状態で行うことができる。
【００２８】
特に、図１〜３及び５に示したように、本発明に係る浮遊及び飛行可能な浮揚体１及びイメージ投影装置は、柔軟なライン１３により適切な場所に緩やかに保持されていてもよい。これらは、固定された状態で空間的位置決めを行うため、地面に固定されていてもよいし、若しくは部屋内の他の固定されたポイントに固定されていてもよい。投影面３は、簡単にさらに所望の方法で看者に対して配置され、適切な場所に保持される。それとは別に、若しくはそれに追加して、制御可能な駆動装置、特にリモートコントローラで制御可能な駆動装置を浮揚体１に設けてもよい。これらの装置（不図示）により、投影されたイメージの位置及び方向を変更及び固定することが可能となる。
【００２９】
本発明に係る具体的な実施の形態の好ましい変形例では、それらの装置は、図７及び８に示すような航空機、特に小型飛行船若しくは飛行船に全体的に組み込まれている。図７は、正面からずれた方向であって投影面３と向かい合う方向から見た、本発明の基本的で具体的な第２の実施形態を示した概略斜視図である。この投影面３は、含まれる航空機として使用される小型飛行船／飛行船７１の一方のサイドに導入されている。ここで、その航空機７１は、ビルの中でのオペレーションのために設計されていることが好ましく、遠隔操作で操縦されることが好ましい。図８は、図７に示した発明の具体的な第２の実施の形態の他の部分背面図を概略的に示している。この図面において、プロジェクタ２及び投影面３の空間配置を容易に認識することができる。このプロジェクタ２及び投影面３は、小型飛行船／飛行船７１の縦方向の軸に関して垂直である。
【００３０】
図９〜１１に図示された様々な概略図に基づいて、第２発明の具体的な第１の実施の形態を以下に記載している。浮遊及び飛行可能なイメージ投影装置は、少なくとも１つの浮揚体１、プロジェクタ２及び投影面３を備える。図９は、本発明の具体的な第１の実施の形態、プロジェクタ２及び投影面３を有する球形の浮揚体１の概略側面図を示している。本発明の具体的な第１実施の形態を前面から見るように、即ち図１０に示した投影面３に向かい合う方向から見るように概略的に示されている。最終的に図１１は、図９及び１０に示した発明の具体的な第１実施の形態の半分の概略斜視図を示している。第２発明では、浮揚体１の体積を、発生することができる浮力により、プロジェクタ２及び投影面３の位置を安定化することができるように設定されている。これらのプロジェクタ２及び投影面３は、投影範囲に対応する間隔で相互に離間して配置されている。ここで、プロジェクタ２は、基本的に第１外表面４の外側に配置されている。この具体的な実施の形態では、その外表面４は、球状の浮揚体１の肌部４’の球表面により形成されている。投影面３は使用時において基本的に平面状である。さらに、投影面３は、第２外表面５の近隣に配置されている。これは、球状の浮揚体１の第１外表面４の近隣の基本的に向かい側に配置されている。さらに、例えば、矩形の投影面３のコーナー部１５を肌部４’に対して溶接することにより、投影面３を分離した部材として浮揚体１内に固定していることが好ましい。
【００３１】
投影面３に投影されたイメージを浮揚体１の肌部のドーム部分５’の外側から視認することができるように、浮揚体１は投影面３の前面に透明のドーム部分５’を有する。肌部の、ドーム部分以外の部分４’は、ビームパス７から放出される迷光が、投影面３を視認することを妨げないように不透明であることが好ましい。ここで、ビームパス７は、図１及び３に示した点線により示されている。
【００３２】
図１２〜１４に示したこれらの図面に基づいて、第２発明の第２の実施の形態を以下に示している。図１２は、第２発明の具体的な実施の形態、即ちプロジェクタ２及び投影面３を備える円柱状１６の形状の浮揚体１の概略側面図を示している。図１３は、図１２に示した発明の具体的な第２の実施の形態をプロジェクタ２の向かいから見た概略前面図を示している。図１４は、図１２及び１３に示した、本発明の具体的な第２の実施の形態の半分を示した概略斜視図である。浮揚体１は、円柱状体１６の形態で作製されている。プロジェクタ２を、その円柱状体１６の平面４’の基本的に外側に配置している。そして、投影面３は、円柱状体１６の第２の平面５’の近隣にプロジェクタ２の真向かいのビームパス７内に配置されている。この第２平面５’は、円柱状体１６の分離部材であって、第１平面と基本的に平行である。
【００３３】
投影面３は、分離した部材として、周辺５の円柱状体１６の壁部に固定されていてもよい。投影面３を、浮揚体１の対応する基本的に平面状の外表面５’に組み込んでもよい。投影面が、分離した部材として円柱状体１６に組み込まれた場合、浮揚体１が、外側から見られたとき、投影面３の前面に位置する部分５’に亘って透明であるように浮揚体１を作製する。別の実施の形態では、投影面３は、円柱状体１６の第２平面５’の全体に形成されるか、若しくはその一部に形成される。しかし、この表面の僅かな曲率は、投影されたイメージの質に悪い方向に影響しない。これは、この表面が、基本的に平面であるからである。図１２〜１４に示された円柱状体は、完全な円形の円柱状体であるけれども、円柱状の浮揚体１は、歪んだ円形の円柱状の形態で作製してもよい。
【００３４】
浮揚体１が、図９〜１１に図示したような球状であるか、若しくは図１２〜１４に図示したような円柱状体１６の形状であるかにかかわらず、浮揚体１が単一の部材からなり、バルブ装置を使用して簡単に膨張させてもよい場合、これらの浮揚体１は好ましい。球状若しくは円柱状の浮揚体１は、一旦それらがその場で膨張されると、非常に高い形状安定性を示す。浮揚体１に取り付けられた柔軟性ライン１３は、本発明に係る浮揚及び飛行可能な浮揚体１及びイメージ投影装置を適切な場所に浮遊させ続け、所望の高度及び方向で正しく位置し方向付けられる。浮揚体１を柔軟性ライン１３を使用して正しい位置に保持してもよい。この柔軟性ライン１３を地面のケーブル固定材若しくは部屋内の他の固定ポイントに取り付ける。投影面３を看者に対して簡単に方向付けることができ、所望の方法により正しい位置に保持することができる。
【００３５】
第２発明の他の好ましい実施の形態では、制御可能な駆動装置、特にリモートコントローラ（不図示）により制御可能な駆動装置を浮揚体１に設ける。この駆動装置により、看者に関して投影されたイメージのポジショニングを変えることができ、そしてそれらを至る所に移動させることができる。
【００３６】
本発明に係る浮遊及び飛行可能なイメージ投影装置により、考えられる全ての状況下において、またあらゆる場所において、イメージを投影するための装置を利用可能とすることができる。いわゆる「後方投影」を用いることにより、多くの看者に情報を同時に供給して、広範囲に投影することができる。シグナル情報や電力をプロジェクタ２に供給するために、ケーブル、ワイヤレス送信、及びそれらのコンビネーションを採用する既知の方法が含まれる。特に用いられる構成により、看者の注意を高度に喚起することができる。一方、そのようなイメージ投影の理想的な位置に関連する頻繁に起こる困難な問題を同時に解決することができる。本発明によれば、単純な手段を用いる有用な方法により経済的な関心に関する問題を解決することができる。
【図面の簡単な説明】
【００３７】
【図１】図１は、前面から見た、即ち投影面に向かい合う方向から見た、本発明の第１の具体的な実施の形態の概略斜視図である。
【図２】図２は、後方から見た、即ちプロジェクタを搭載したサイドから見た、本発明の第１の具体的な実施の形態の概略斜視図である。
【図３】図３は、本発明の具体的な第１実施の形態の概略側面図である。
【図４】図４は、本発明の具体的な第１実施の形態の概略背面図である。
【図５】図５は、本発明の具体的な第１実施の形態の概略前面図である。
【図６】図６は、本発明の具体的な第１実施の形態の概略上面図である。
【図７】図７は、前面から見た、即ち投影面に向かい合う方向から見た、輸送用航空機として有用な小型飛行船若しくは飛行船に組み込まれた発明の具体的な第２の実施の形態の概略斜視図である。
【図８】図８は、図７に示された具体的な第２の実施の形態の概略部分図である。
【図９】図９は、第２発明、即ちプロジェクタ及び投影面を備える球状の浮揚体の具体的な第１の実施の形態を示した概略側面図である。
【図１０】図１０は、前面から見た、即ちプロジェクタに向かい合う方向から見た、図９に示した第２発明の具体的な第１の実施の形態を示した概略図である。
【図１１】図１１は、図９及び１０に示した第２発明の具体的な第１の実施の形態の半分を示した概略斜視図である。
【図１２】図１２は、第２発明、即ちプロジェクタ及び投影面を備える円柱状浮揚体の具体的な第２の実施の形態を示した概略側面図である。
【図１３】図１３は、前面から見た、即ちプロジェクタから見た、図１２に示した第２発明の具体的な第２の実施の形態を示した概略図である。
【図１４】図１４は、図１２及び１３に示した第２発明の具体的な第２の実施の形態の半分を示した概略斜視図である。
【図１】
2005538427.tif 000003
【図２】
2005538427.tif 000004
【図３】
2005538427.tif 000005
【図４】
2005538427.tif 000006
【図５】
2005538427.tif 000007
【図６】
2005538427.tif 000008
【図７】
2005538427.tif 000009
【図８】
2005538427.tif 000010
【図９】
2005538427.tif 000011
【図１０】
2005538427.tif 000012
【図１１】
2005538427.tif 000013
【図１２】
2005538427.tif 000014
【図１３】
2005538427.tif 000015
【図１４】
2005538427.tif 000016
【手続補正書】
【提出日】平成17年4月12日(2005.4.12)
【手続補正１】
【補正対象書類名】特許請求の範囲
【補正対象項目名】全文
【補正方法】変更
【補正の内容】
【特許請求の範囲】
【請求項１】
少なくとも１つの浮揚体（１）、プロジェクタ（２）及び投影面（３）を備える、浮遊及び飛行可能なイメージ投影装置であって、
発生する浮力により上記プロジェクタ（２）及び投影面（３）の位置を安定させることができるように、上記浮揚体（１）の形状及び体積が設定され、
上記プロジェクタ（２）及び投影面（３）は、投影範囲に対応する間隔で相互に離間して配置されており、
上記プロジェクタ（２）は、上記浮揚体（１）の第１外表面（４）の基本的に外側に配置され、
上記投影面（３）は、浮揚体（１）の第２外表面（５）と基本的に一致しており、上記第２外表面（５）は、上記第１外表面（４）の向かい側に配置され、使用時には基本的に平面状をしており、
さらに、上記浮揚体（１）は、上記プロジェクタ（２）と上記投影面（３）との間に配置された浮力のない部分（６）を有し、
上記の浮力のない部分（６）は、上記プロジェクタ（２）と上記投影面（３）との間の上記スペース（８）を伝播するビームのパス（７）に著しく影響を与えることがないことを特徴とするイメージ投影装置。
【請求項２】
上記のプロジェクタ（２）と投影面（３）との間のスペース（８）に配置された、浮力のない部分（６）の形状が、逆ピラミッド状に形成され、特にコーンの形状と対応することを特徴とする請求項１記載のイメージ投影装置。
【請求項３】
上記浮揚体（１）が単一の部材から成り、上記浮揚体（１）が基本的に立方体形状を有するように形成されていることを特徴とする請求項２記載のイメージ投影装置。
【請求項４】
上記浮揚体（１）が基本的に同一の２つの部材（１１、１２）からなり、
安定な配向を維持するという意味において不均衡な重量配分が相殺されるように、上記部材（１１、１２）が浮力の軸（９）に沿って上下に配置されていることを特徴とする請求項１記載のイメージ投影装置。
【請求項５】
上記部材（１１、１２）のそれぞれが、基本的にＶ字型の形状を有することを特徴とする請求項４記載のイメージ投影装置。
【請求項６】
特にＶ字型の２つの部材（１１、１２）が、結果として得られるアッセンブリの外表面の形状が基本的に立方体の形状となるように、一体に接続されることを特徴とする請求項４又は５記載のイメージ投影装置。
【請求項７】
上記浮揚体（１）が複数のチャンバにより組み立てられ、該チャンバは、必要であれば互いに密閉され、さらに様々な大きさを有し、それにより所望の最終外形が得られることを特徴とする請求項１〜６のいずれかに記載のイメージ投影装置。
【請求項８】
少なくとも１つの浮揚体（１）、プロジェクタ（２）及び投影面（３）を備える、浮遊及び飛行可能なイメージ投影装置であって、
発生する浮力により、上記プロジェクタ（２）及び投影面（３）の位置を安定させることができるように、上記浮揚体（１）の体積が設定され、
上記プロジェクタ（２）及び投影面（３）は、投影範囲に対応する間隔で相互に離間して配置されており、
上記プロジェクタ（２）は、上記浮揚体（１）の第１外表面（４）の基本的に外側に配置され、
上記投影面（３）は、使用時において基本的に平面状をしており、さらに浮揚体（１）の第２外表面（５）の近隣に配置され、上記第２外表面（５）は、上記浮揚体（１）の第１外表面（４）の基本的に向かい側に配置されており、
上記投影面（３）は、分離した部材として、上記浮揚体（１）に固定されていることを特徴とするイメージ投影装置。
【請求項９】
上記浮揚体（１）が球形状を有し、
上記投影面（３）は、上記投影面（３）が上記球状体の中の適切な場所に固定された、球状体の部分と近い形状を有し、上記プロジェクタ（２）の向かい側の、上記ビームパス（７）内に配置されていることを特徴とする請求項８記載のイメージ投影装置。
【請求項１０】
上記浮揚体（１）が、外側から見られた時、上記投影面（３）の前面に位置する部分（５’）に亘って透明であるように作製されていることを特徴とする請求項９記載のイメージ投影装置。
【請求項１１】
上記浮揚体（１）が円柱状体（１６）の形態で構成され、上記プロジェクタ（２）が、上記円柱状体（１６）の平面（４’）の基本的に外側に配置され、
上記投影面（３）が、円柱状体（１６）の第２平面（５’）の近辺（５）であって、上記プロジェクタ（２）の向かい側の、ビームパス（７）内に、分離した部材として配置され、
上記第２平面（５’）は、第１平面と基本的に平行であることを特徴とする請求項８記載のイメージ投影装置。
【請求項１２】
上記投影面（３）が、上記浮揚体（１）の、対応する基本的に平面状の外表面（５’）に、分離した部材として組み込まれることを特徴とする請求項１１記載のイメージ投影装置。
【請求項１３】
上記浮揚体（１）が、外側から見られた時、上記投影面（３）の前面に位置する部分（５’）に亘って透明であるように作製されていることを特徴とする請求項１１又は１２記載のイメージ投影装置。
【請求項１４】
上記投影面（３）が、円柱状体（１６）の第２平面（５’）の全体、若しくはその一部に形成されることを特徴とする請求項１１又は１２記載のイメージ投影装置。
【請求項１５】
上記円柱状の浮揚体（１）が、完全な円形の円柱状体（１６）、若しくは歪んだ円形の円柱状体の形態で作製されていることを特徴とする請求項１１〜１４のいずれかに記載のイメージ投影装置。
【請求項１６】
上記投影面（３）が、上記浮揚体（１）内の適切な位置に溶接されることを特徴とする請求項１１〜１５のいずれかに記載のイメージ投影装置。
【請求項１７】
上記浮揚体（１）が、適切な位置で浮遊するように柔軟性ライン（１３）により保持されていることを特徴とする請求項１〜１６のいずれかに記載のイメージ投影装置。
【請求項１８】
制御可能な駆動装置、特にリモートコントローラにより制御可能な駆動装置が、上記浮揚体（１）に設けられていることを特徴とする請求項１〜１７のいずれかに記載のイメージ搭載装置。
【請求項１９】
上記装置が、航空機、特に小型飛行船若しくは飛行船（７１）に全体として組み込まれていることを特徴とする請求項１〜１８のいずれかに記載のイメージ投影装置。
【請求項２０】
上記航空機が、ビル内でのオペレーションを行うために設計され、リモートコントロールにより操作可能であることを特徴とする請求項１９記載のイメージ投影装置。
【国際調査報告】
2005538427.tif 000017
2005538427.tif 000018
2005538427.tif 000019
2005538427.tif 000020